(57)【要約】【課題】  プリンターの印字適性、搬送適性等に優れ、また製造する上で、製造工程が増えることもなく、隠蔽性が高く、隠蔽ラベルを用いて、剥がして貼り込む際、ラベルの貼る位置が曲がったり、外れることがなく、簡単に個人情報を隠蔽することができる情報隠蔽用シートを提供することを目的とする。【解決手段】  第１の基材と第２の基材とが接着剤Ａと接着剤Ｂとを接着箇所を分けて、重ね合わせられた情報隠蔽用シートであり、接着剤Ａは強接着剤であり、接着剤Ｂは剥離可能で、再接着再剥離可能である擬似接着剤であり、また第１の基材の表面が再剥離性感圧粘着剤層が設けられ、配布時は折り線２で折り畳み、第１の基材の第１Ａ基材部と第１Ｂ基材部の表面同士が重ね合わされて圧着されて接着可能であり、第１の基材の第１Ｃ基材部の表面に記載した個人情報を隠蔽するように、折り線５で折り、返却される。【選択図】      図１
2008012872.tif 000002
【特許請求の範囲】
【請求項１】
第１の基材と第２の基材とが接着剤Ａと接着剤Ｂとを接着箇所を分けて、使用して重ね合わせられた情報隠蔽用シートにおいて、
該第１の基材が第１Ａ基材部と第１Ｂ基材部とが折り線２を介して区分けされ、かつ第１の基材が第１Ｂ基材部と第１Ｃ基材部とがスリット３を介して区分けされたもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また第１の基材の表面が再剥離性感圧粘着剤層が設けられ、配布時は前記の折り線２で折り畳み、第１の基材の第１Ａ基材部と第１Ｂ基材部の表面同士が重ね合わされて圧着されて接着可能であり、
返却時は前記スリット３の部分から、第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第１の基材の第１Ｃ基材部と、第２の基材の第２Ｂ基材部及び第２Ｃ基材部からなる返却用紙を、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返却されることを特徴とする情報隠蔽用シート。
【請求項２】
第１の基材と第２の基材とが接着剤Ａと接着剤Ｂとを接着箇所を分けて、使用して重ね合わせられた情報隠蔽用シートにおいて、
該第１の基材が第１Ａ基材部と第１Ｂ基材部とが折り線２を介して区分けされもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また第１の基材の表面が再剥離性感圧粘着剤層が設けられ、配布時は前記の折り線２で折り畳み、第１の基材の第１Ａ基材部と第１Ｂ基材部の表面同士が重ね合わされて圧着されて接着可能であり、
返却時は第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第２の基材の第２Ｂ基材部及び第２Ｃ基材部からなる返却用紙を、第２の基材の第２Ｃ基材部の裏面に記載した個人情報を隠蔽するように、折り線５の部分で折って、第２の基材の第２Ｂ基材部と、第２の基材の第２Ｃ基材部とが接着剤Ｂを介して接着して返却されることを特徴とする情報隠蔽用シート。
【請求項３】
第１の基材と第２の基材とが接着剤Ａと接着剤Ｂとを接着箇所を分けて、使用して重ね合わせられた情報隠蔽用シートにおいて、
該第１の基材が第１Ａ基材部と第１Ｂ基材部とが折り線２を介して区分けされ、かつ第１の基材が第１Ｂ基材部と第１Ｃ基材部とがスリット３を介して区分けされたもので、該第２の基材が第２Ｂ基材部と第２Ｃ基材部とが折り線５を介して区分けされたもので、
第１Ｃ基材部と第２Ｃ基材部を重ね合わせる接着剤が接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また第１の基材の表面に再剥離性感圧粘着剤層が設けられ、配布時は前記の折り線２で折り畳み、第１の基材の第１Ａ基材部と第１Ｂ基材部の表面同士が重ね合わされて圧着されて接着可能であり、
返却時は前記スリット３の部分から、第１の基材の第１Ｂ基材部を接着剤Ｂから剥離して、第２の基材の第２Ｂ基材部と分離し、かつ接着剤Ｂが付着された第２の基材の第２Ｂ基材部を、第１の基材の第１Ｂ基材部と分離し、得られた第１の基材の第１Ｃ基材部と、第２の基材の第２Ｂ基材部及び第２Ｃ基材部からなる返却用紙を、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返却されることを特徴とする情報隠蔽用シート。
【請求項４】
前記の第１の基材と第２の基材の少なくとも一方において、地紋印刷が設けられて、該基材部に記載された個人情報が透けて見えないようにしたことを特徴とする請求項１〜３のいずれかに記載の情報隠蔽用シート。
【発明の詳細な説明】
【技術分野】
【０００１】
本発明は個人情報等を保護するのに好適な情報隠蔽用シートに関し、特にプリンターの印字適性、搬送適性等に優れ、また製造する上で、製造工程が増えることもなく、隠蔽性が高く、隠蔽する際の手間がかからなく、簡単に隠蔽することができる情報隠蔽用シートに関するものである。
【背景技術】
【０００２】
住所変更届や資料申込み等、個人がサービス業者等に対して申請をしたり、申込みを行ったりする場合に、本人を特定するための個人情報の記載が必要となっている。
しかし、個人情報保護意識の高まりもある中で、個人情報部分について隠蔽して保護する何の配慮のない申込書では、申込み自体を断念してしまうことがあり得る。また、申込者自身が封筒と切手を別に用意して、それを用いて申込書を同封して送る、ということもある。前者ではサービス業者として売上げ減少につながり、後者では顧客満足度の低下につながる可能性があり、前述した届出書や申込書には何らかの個人情報を保護する工夫が必要不可欠となってきている。
【０００３】
そこで、近年特に需要が多いのが、再剥離再貼付糊を利用した情報隠蔽用シートの１種である情報隠蔽はがきがある（例えば、特許文献１）。それまで付箋としてしか使用されていなかった再剥離再貼付糊を利用し、再剥離再貼付糊の設けられた隠蔽ラベル片を個人情報欄に重ね合わせて一時的な隠蔽を図るものである。
個人がサービス業者に申込みをする、という場面では、最終的にサービス業者内で開封されて、個人情報が目視されるものであるため、再剥離再貼付糊を利用した隠蔽ラベルはある意味では非常に合理的な隠蔽ラベルと言え、利用範囲が広がってきている。
【０００４】
以上のような情報隠蔽用シートでは、そのシートの個人情報の記入された部分を隠蔽するために、そのシートとは別個にある隠蔽ラベルを、その個人情報の記入部に貼り付けたり、あるいはその情報隠蔽用シートの個人情報の記入部ではない位置に、予め隠蔽ラベルを貼付しておき、個人情報を記入後、その隠蔽ラベルを剥がして、個人情報の記入部に貼り付けて、個人情報を隠蔽していた。
【０００５】
上記のいずれの場合でも、隠蔽ラベルを、剥がして、所定の個人情報の記入欄に位置合せをして、貼り付ける手間が必要である。隠蔽ラベルの大きさにもよるが、該ラベルを貼る位置が曲がったり、外れた場合に、個人情報欄の全体を隠蔽できずに、部分的に該情報が見えてしまう問題が生じてしまう。また、隠蔽ラベルを情報隠蔽用シートの個人情報の記入部ではない位置に、予め貼付しておく場合、情報隠蔽用シートの隠蔽ラベルが貼付されている部分と貼付されていない部分では、それぞれの部分の総厚が異なり、プリンターで連続処理の際に、蛇行したり、シワが生じたりして、プリンターでの搬送適性が低下し、またその影響もあり、印字適性も低下する問題がある。
【特許文献１】特開２００４−１０２１８８号公報
【発明の開示】
【発明が解決しようとする課題】
【０００６】
したがって、本発明は、プリンターの印字適性、搬送適性等に優れ、また製造する上で、製造工程が増えることもなく、隠蔽性が高く、隠蔽ラベルを用いて、剥がして貼り込む際、ラベルの貼る位置が曲がったり、外れることがなく、簡単に個人情報を隠蔽することができる情報隠蔽用シートを提供することを目的とする。
【課題を解決するための手段】
【０００７】
以上の状況を鑑み、鋭意研究開発を進め、本発明に到った。すなわち、請求項１に記載の発明は、第１の基材と第２の基材とが接着剤Ａと接着剤Ｂとを接着箇所を分けて、使用して重ね合わせられた情報隠蔽用シートにおいて、
該第１の基材が第１Ａ基材部と第１Ｂ基材部とが折り線２を介して区分けされ、かつ第１の基材が第１Ｂ基材部と第１Ｃ基材部とがスリット３を介して区分けされたもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また第１の基材の表面に再剥離性感圧粘着剤層が設けられ、配布時は前記の折り線２で折り畳み、第１の基材の第１Ａ基材部と第１Ｂ基材部の表面同士が重ね合わされて圧着されて接着可能であり、
返却時は前記スリット３の部分から、第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第１の基材の第１Ｃ基材部と、第２の基材の第２Ｂ基材部及び第２Ｃ基材部からなる返却用紙を、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返却されることを特徴とする。
【０００８】
請求項２に記載の発明は、第１の基材と第２の基材とが接着剤Ａと接着剤Ｂとを接着箇所を分けて、使用して重ね合わせられた情報隠蔽用シートにおいて、
該第１の基材が第１Ａ基材部と第１Ｂ基材部とが折り線２を介して区分けされもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また第１の基材の表面に再剥離性感圧粘着剤層が設けられ、配布時は前記の折り線２で折り畳み、第１の基材の第１Ａ基材部と第１Ｂ基材部の表面同士が重ね合わされて圧着されて接着可能であり、
返却時は第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第２の基材の第２Ｂ基材部及び第２Ｃ基材部からなる返却用紙を、第２の基材の第２Ｃ基材部の裏面に記載した個人情報を隠蔽するように、折り線５の部分で折って、第２の基材の第２Ｂ基材部と、第２の基材の第２Ｃ基材部とが接着剤Ｂを介して接着して返却されることを特徴とする。
【０００９】
請求項３に記載の発明は、第１の基材と第２の基材とが接着剤Ａと接着剤Ｂとを接着箇所を分けて、使用して重ね合わせられた情報隠蔽用シートにおいて、
該第１の基材が第１Ａ基材部と第１Ｂ基材部とが折り線２を介して区分けされ、かつ第１の基材が第１Ｂ基材部と第１Ｃ基材部とがスリット３を介して区分けされたもので、該第２の基材が第２Ｂ基材部と第２Ｃ基材部とが折り線５を介して区分けされたもので、
第１Ｃ基材部と第２Ｃ基材部を重ね合わせる接着剤が接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また第１の基材の表面に再剥離性感圧粘着剤層が設けられ、配布時は前記の折り線２で折り畳み、第１の基材の第１Ａ基材部と第１Ｂ基材部の表面同士が重ね合わされて圧着されて接着可能であり、
返却時は前記スリット３の部分から、第１の基材の第１Ｂ基材部を接着剤Ｂから剥離して、第２の基材の第２Ｂ基材部と分離し、かつ接着剤Ｂが付着された第２の基材の第２Ｂ基材部を、第１の基材の第１Ｂ基材部と分離し、得られた第１の基材の第１Ｃ基材部と、第２の基材の第２Ｂ基材部及び第２Ｃ基材部からなる返却用紙を、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返却されることを特徴とする。
【００１０】
請求項４に記載の発明は、請求項１〜３のいずれかに記載の第１の基材と第２の基材の少なくとも一方において、地紋印刷が設けられて、該基材部に記載された個人情報が透けて見えないようにすることが好ましい。
【発明の効果】
【００１１】
本発明の情報隠蔽用シートは、第１の基材と第２の基材とが接着剤Ａと接着剤Ｂとを接着箇所を分けて、使用して重ね合わせられた情報隠蔽用シートにおいて、
該第１の基材が第１Ａ基材部と第１Ｂ基材部とが折り線２を介して区分けされ、かつ第１の基材が第１Ｂ基材部と第１Ｃ基材部とがスリット３を介して区分けされたもので、該第２の基材が第２Ａ基材部と第２Ｂ基材部とがスリット４を介して区分けされ、かつ第２の基材が第２Ｂ基材部と第２Ｃ基材部とが折り線５を介して区分けされたもので、
第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着再剥離可能である擬似接着剤であり、
また第１の基材の表面が再剥離性感圧粘着剤層が設けられ、配布時は前記の折り線２で折り畳み、第１の基材の第１Ａ基材部と第１Ｂ基材部の表面同士が重ね合わされて圧着されて接着可能であり、
返却時は前記スリット３の部分から、第１の基材の第１Ｂ基材部を接着剤Ｂから剥離して、第２の基材の第２Ｂ基材部と分離し、かつ前記スリット４の部分から、接着剤Ｂが付着された第２の基材の第２Ｂ基材部を、第１の基材の第１Ｂ基材部と分離し、得られた第１の基材の第１Ｃ基材部と、第２の基材の第２Ｂ基材部及び第２Ｃ基材部からなる返却用紙を、第１の基材の第１Ｃ基材部の表面に記載した個人情報を隠蔽するように、折り線５の部分で折って、第２の基材の第２Ｂ基材部と、第１の基材の第１Ｃ基材部とが接着剤Ｂを介して接着して返却されるようにした。また、上記の第１の基材が、第１Ｃ基材部を無くして、第１Ａ基材部と第１Ｂ基材部のみから構成することも可能である。但し、この場合は、上記のスリット３及び第２Ｃ基材部で設けられる接着剤は無い形態である。
【００１２】
また、上記の第２の基材が、第２Ａ基材部を無くして、第２Ｂ基材部と第２Ｃ基材部のみから構成することも可能である。但し、この場合は、上記のスリット４及び第１Ａ基材部で設けられる接着剤は無い形態である。さらに、本発明において、特許請求の範囲に規定はしないが、上記の請求項１に記載した条件の情報隠蔽用シートにおいて、第１の基材が、第１Ｃ基材部を無くし、第１Ａ基材部と第１Ｂ基材部のみから構成し、かつ第２の基材が、第２Ａ基材部を無くして、第２Ｂ基材部と第２Ｃ基材部のみから構成したものを使用することも可能である。
【００１３】
上記の情報隠蔽用シートは、第２の基材に対して、第１の基材の全面（第１Ａ基材部と第１Ｂ基材部と第１Ｃ基材部を合わせたもの、あるいは第１Ａ基材部と第１Ｂ基材部を合わせたもの）を貼り合せた構成であり、情報隠蔽用シートの両端に、マージナルパンチ加工が施された連続フォームとして、製造することができ、かつ第２の基材の両端と第１の基材の少なくとも片端それぞれに、マージナルパンチ加工が施された連続フォームとして、別個に印刷加工を予め行なって、その後に第１の基材と第２の基材を、それぞれ印刷された部分の上下、左右の位置見当を合わせることができる。
また、従来の隠蔽ラベルをラベラを使用して、貼り込む必要がなく、製造工程が増えることもない。請求項１で規定した第１の基材と第２の基材との外形の大きさが同じである場合、第１の基材と第２の基材の合わせた総厚の差が無く、段差がなく、全面が均一な厚さになり、プリンタでの搬送適性がより良好であり、また印字適性も良好となる。
【００１４】
また、本発明の情報隠蔽用シートは、第１の基材の表面が再剥離性感圧粘着剤層が設けられているので、配布時は折り線２で折り畳み、第１の基材の第１Ａ基材部と第１Ｂ基材部の表面同士が重ね合わされ圧着されて接着することができ、隠蔽性に優れている。さらに返却時は、第１の基材の第１Ｃ基材部と、第２の基材の第２Ｂ基材部及び第２Ｃ基材部からなる返却用紙を、第１の基材の第１Ｃ基材部の表面に記入した個人情報を隠蔽するように、折り線５の部分で折って、第２の基材の第２Ｂ基材部と、第１の基材の第１Ｃ基材部とが接着剤Ｂを介して接着して返却される。あるいは、返却時、第２の基材の第２Ｂ基材部及び第２Ｃ基材部からなる返却用紙を、第２の基材の第２Ｃ基材部の裏面に記入した個人情報を隠蔽するように、折り線５の部分で折って、第２の基材の第２Ｂ基材部と、第２の基材の第２Ｃ基材部とが接着剤Ｂを介して接着して返却される。これにより、従来の隠蔽ラベルを剥がして、個人情報の記載部分にラベルを貼るものではなく、折り線５の部分で折って圧着させて接着することにより、簡単に個人情報を隠蔽することができる。
【発明を実施するための最良の形態】
【００１５】
図１は、本発明の情報隠蔽用シート１の一つの実施形態を示す概略図であり、図１ａ）は情報隠蔽用シートを配布して使用する前の第１の基材、第２の基材とが接着剤Ａ、Ｂや、折り線２、５や、スリット３、４等で構成されることを説明するための概略図であり、図１ｂ）は図１ａ）で示した情報隠蔽用シートが、配布された後のシート返却時での使用される状態を説明するための概略図である。
図１ａ）において、第２の基材２２が、第２Ａ基材部（２Ａ）と第２Ｂ基材部（２Ｂ）とがスリット４を介して区分けされ、かつ第２の基材２２が第２Ｂ基材部（２Ｂ）と第２Ｃ基材部（２Ｃ）とが折り線５を介して区分けされて形成されている。第２Ａ基材部の表面を２Ａ面とし、第２Ｂ基材部の表面を２Ｂ面とし、また第２Ｃ基材部の表面を２Ｃ面として、２Ｃ面には図示はしていないが、情報隠蔽用シートの返却時での「返却用紙」、「返却先の住所、会社名」等の文字が印刷されている。また２Ａ面には、「配布」の文字などが印刷され、また配布先の住所、名前が記載されている。
【００１６】
また、第１の基材２１が第１Ａ基材部（１Ａ）と第１Ｂ基材部（１Ｂ）とが折り線２を介して区分けされ、かつ第１の基材２１が第１Ｂ基材部（１Ｂ）と第１Ｃ基材部（１Ｃ）とがスリット３を介して区分けされて形成されている。第１Ａ基材部の表面を１Ａ面とし、第１Ｂ基材部の表面を１Ｂ面とし、また第１Ｃ基材部の表面を１Ｃ面として、１Ｂ面には、情報隠蔽用シートの配布される人の個人情報２３が、可変情報として、例えば、ノーインパクトプリンターを使用して、印字されている。また、１Ｃ面には、個人情報３２が記入される。第１及び第２の基材は、両端に、マージナルパンチ２５加工が施された連続フォームの形態で製造され、また上記のプリンター印字は、その加工されたマージナルパンチを利用して連続処理される。また第１の基材２１は、個人情報２３を隠蔽するために、基材２１の表面の全面に、再剥離性感圧粘着剤層２４が設けられている。
【００１７】
この再剥離性感圧粘着剤層２４は、その使用する粘着剤層が基材と接触しても粘着せずに、粘着剤層同士が加圧接触してはじめて粘着し、しかも再剥離ができるように調整されたものであり、従来の折り畳みのメールフォームで利用されているものが使用できる。一般的に、粘着主剤、粘着力調整剤、添加物等でその粘着剤層を構成できる。配布時はスリット４（折り線２）で、谷折りの条件で折り畳み、第１の基材２１の第１Ａ基材部と第１Ｂ基材部の表面同士（１Ａ面と１Ｂ面）が重ね合わされて圧着されて接着し、上記の個人情報２３が隠蔽できる。また図示してはいないが、基材部に記載あるいは記入された個人情報、すなわち第１Ｂ基材部の表面の個人情報２３、あるいは第１Ｃ基材部の表面に記入した個人情報３２において、情報隠蔽用シートの配布中や、必要事項を記入後、そのシートを返却するまでの取扱い中に、それらの個人情報が透けて見えないように、地紋印刷が施されることが好ましい。詳しくは、まず第１Ｂ基材部の表面の個人情報２３では、第１Ａ基材部の表面全面に、及び／または第１Ａ基材部の接着剤Ａと接する側に、及び／または第１Ｂ基材部の接着剤Ｂと接する側に、及び／または第２Ｂ基材部の接着剤Ｂと接する側に、地紋印刷を施すことができる。
【００１８】
また、第１Ｃ基材部の表面に記入した個人情報３２では、第１Ｃ基材部の裏面全面に（接着剤Ａと接する側に）、及び／または第２Ｃ基材部の接着剤Ａと接する側に、地紋印刷を施すことができる。さらに、その個人情報３２を隠蔽するよう、シート返却時の際に、折り線５の部分で折って、第２の基材の第２Ｂ基材部と、第１の基材の第１Ｃ基材部とが接着剤Ｂを介して接着されるので、第２Ｂ基材部の接着剤Ｂと接する面に、あるいは第２Ｂ基材部の接着剤Ｂと接しない面に、地紋印刷を施すことができる。
このようにして、情報隠蔽用シートが配布、返却される際に、個人情報が透けて見えることを困難にすることができる。
【００１９】
第１の基材２１の折り線２と、第２の基材２２に設けられたスリット４は、同じ位置に合わせ、第１の基材２１のスリット３と、第２の基材２２に設けられた折り線５は、同じ位置に合わせておく。スリット４は、第２の基材の第２Ｂ基材部を、第１の基材の第１Ｂ基材部と重なって接着された状態から剥がすためのものである。またスリット４は、１Ａ面と１Ｂ面とを重ね合わして圧着する際に、１Ａ（２Ａ）面と１Ｂ（２Ｂ）面とを折りやすくするものである。スリット３は、第１Ｂ基材部を接着剤Ｂから剥離して、第２Ｂ基材部と分離するためのものである。またスリット３は、配布時において、情報隠蔽用シートとしてコンパクトにするように、そのスリット３の位置で、折りやすくするものである。
【００２０】
上記の折り線２とスリット４は、またスリット３と折り線５は、同じ位置に合わせるもので、第１の基材２１と、第２の基材２２とが接着剤Ａ、Ｂにより重ね合わされた状態で、一方の基材のみにスリット加工を行なうだけにより、自動的に折り線の加工が施される結果となる。（折り線は折りぐせがつく程度に、圧力が加えられたものである。）すなわち、第１の基材２１と第２の基材２２とが、接着剤Ａ、Ｂにより接着されて、一体化した状態で、第１の基材２１の表面から、第１の基材２１を切断し、第２の基材２２は切断しない、いわゆるハーフカット処理を行う。
【００２１】
また、本発明の情報隠蔽用シートは、第１Ｂ基材部と第１Ｃ基材部とを区分けするための、また第２Ａ基材部と第２Ｂ基材部とを区分けするためのスリットは、上記のハーフカット処理で加工するだけでなく、第１の基材と第２の基材とを接着剤で重ね合わす前に、スリットの位置で、予め切断しておいた巻取り状の複数の基材を用意して、各巻取りを供給して、接着剤を塗布し、第１の基材と第２の基材を重ね合わして製造することも可能である。この場合、スリット３、４の位置において、２本の隣接した上記の予め切断しておいた巻取り状の基材を、０．５〜１ｍｍ程度の間隔で離しておくことが好ましい。それは、対応する折り線で折り畳み際に、非常に折り易く、かつスリットの位置から、接着剤Ｂで接着している部分を剥離する際、簡単に剥離し始めることができる。
【００２２】
また、図１ａ）において、第１の基材２１が第１Ａ基材部（１Ａ）と第１Ｂ基材部（１Ｂ）とが折り線２を介して区分けされ、かつ第１の基材２１が第１Ｂ基材部（１Ｂ）と第１Ｃ基材部（１Ｃ）とがスリット３を介して区分けされて形成されている。第１Ａ基材部の表面を１Ａ面とし、第１Ｂ基材部の表面を１Ｂ面とし、また第１Ｃ基材部の表面を１Ｃ面として、図示はしていないが、配布先の住所、名前が記載された２Ａ面には、適当な広告を印刷することができる。また、１Ｂ面には個人情報２３が印字されている。また、１Ｃ面には返却用紙として、情報隠蔽用シートの配布されて、そのシートを返却する人（返却者）が返却する人の個人情報を記入しやすくする説明書きなどが印刷されている。上記の配布先の住所、名前は、可変情報であり、例えば、ノーインパクトプリンターを使用して、印字される。第１の基材２１と第２の基材２２は、両端に、マージナルパンチ２５加工が施された連続フォームの形態で製造され、また上記のプリンター印字は、そのマージナルパンチ加工された部分を利用して、連続処理される。但し、第２の基材２２における配布先の住所、名前のプリンター印字と、上記の第１の基材２１における個人情報２３のプリンター印字は、両者の情報の照合性を正確にするために、第１の基材２１と第２の基材２２とが接着剤Ａ、Ｂで重ね合わせて接着している状態で、両面印字可能なプリンターを用いて行なうことが好ましい。
【００２３】
上記に説明した第１の基材２１と第２の基材２２とが、接着剤Ａ（３０）と接着剤Ｂ（３１）を使用して、重ね合わせられている。その接着剤Ａ（３０）と接着剤Ｂ（３１）とは、その塗工する箇所を区分けしており、第１Ａ基材部（１Ａ）と第２Ａ基材部（２Ａ）を重ね合わせるための接着剤が接着剤Ａ（３０）であり、第１Ｃ基材部（１Ｃ）と第２Ｃ基材部（２Ｃ）を重ね合わせるための接着剤も接着剤Ａ（３０）であり、第１Ｂ基材部（１Ｂ）と第２Ｂ基材部（２Ｂ）を重ね合わせるための接着剤が接着剤Ｂ（３１）である。このように、接着剤を使い分けるものである。この接着剤Ａ（３０）は強接着剤であり、一旦接着させた後に、第１の基材２１と第２の基材２２を剥離することが困難である。また、接着剤Ｂ（３１）は一旦接着した後に、剥離可能であり、またその剥離された接着剤Ｂ（３１）を利用して、返却用紙２６の個人情報を記入した欄３２に再接着再剥離することができるものである。この機能を有する接着剤Ｂ（３１）は、擬似接着剤と言われるものである。
【００２４】
図１ａ）で示した情報隠蔽用シート１は、配布時に折り線２で、谷折りの条件で折り畳んで、第１の基材２１の第１Ａ基材部と第１Ｂ基材部の表面同士（１Ａ面と１Ｂ面）が重ね合わされて圧着されて接着し、個人情報２３を隠蔽するものである。尚、配布時におけるスリット３の方は、図示したように山折りされ、配布される。また本発明の情報隠蔽用シート１は、配布時に、３つ折された情報隠蔽用シートとして、利用する際は、両端に設けられたマージナルパンチ２５加工された部分は、切り取り線８、９により、切り離されている。
【００２５】
図１ｂ）で示したものは、図１ａ）で示した情報隠蔽用シートが、配布された後のシート返却時での使用される状態を説明するもので、配布先の人が、情報隠蔽用シート１を受取って、１Ａ面と１Ｂ面とが接着した状態から、１Ａ面と１Ｂ面とを剥離して、１Ｂ面に記載された個人情報２３を確認して、その後にスリット３の部分から、第１の基材２１の第１Ｂ基材部を接着剤Ｂから剥離して、第２の基材２２の第２Ｂ基材部と分離し、かつスリット４の部分から、接着剤Ｂが付着された第２の基材２２の第２Ｂ基材部を、第１の基材２１の第１Ｂ基材部と分離して、第１の基材の第１Ｃ基材部と、第２の基材の第２Ｂ基材部及び第２Ｃ基材部からなる返却用紙２６を、第１の基材の第１Ｃ基材部の表面に記入した個人情報３２を隠蔽するように、折り線５の部分で折って、第２の基材の第２Ｂ基材部と、第１の基材の第１Ｃ基材部とが接着剤Ｂを介して接着した状態にする。尚、返却用紙２６の個人情報の記入欄３２には、シートを配布された返却者が自分の個人情報に関する必要事項を記入した後に、上記の折り線５の部分で折って、接着剤Ｂを介して、第２Ｂ基材部と第１Ｃ基材部とを接着した状態とする。このように、折り線５の部分で折って貼り合わせて、個人情報を隠蔽するので、従来の隠蔽ラベルを用いて、剥がして貼り込むタイプの場合のラベルを貼る位置がずれることもなく、また返却時に第２の基材２２の第２Ｂ基材部全体で、個人情報３２を隠蔽するので、隠蔽できる面積を多くとれる。このように隠蔽性が高く、簡単に個人情報を隠蔽することができる。
【００２６】
以上、図１を用いて、本発明の情報隠蔽用シートについて、説明したが、図１のように、マージナルパンチ２５の加工された方向と、折り線２、５、とスリット３、４の加工された方向が平行であるが、図２に示すように、マージナルパンチ２５の加工された方向と、折り線２、５、とスリット３、４の加工された方向が直角であるように、情報隠蔽用シートの配置をとることも可能である。
【００２７】
上記の情報隠蔽用シートの説明は、会員変更届、銀行口座変更届等の届出書や、資料申込み、会員申込み等の申込書のような対象者の個人情報２３が記録されたシートが配布され、そのシートを受取った人が、個人情報を記入して、返却する用途で説明したが、郵便往復はがきとして、現状は利用できないが、今後、往復隠蔽はがきとして、使用できる可能性はある。
【実施例】
【００２８】
以下に、本発明の情報隠蔽用シートについて、実施例に基づいて、説明する。
第１の基材として、上質紙、アート紙、コート紙等のパルプを用いた用紙を用い、第２の基材として、上質紙の片側の全面に、粘着主剤、粘着力調整剤、添加物で構成した再剥離性感圧粘着剤を塗工したものを用意した。図１を参照して、説明するが、１Ｃ面には返却用紙として、返却者が自分の個人情報を記入しやすくするための説明書きを、オフセット印刷方式で、印刷形成する。また、第１の基材の両端には、マージナルパンチ２５を連続的に加工し、連続して巻き取った状態とした。また図示はしていないが、第２の基材の２Ａ面には、その情報隠蔽用シートの配布元である企業の宣伝のための広告を、また２Ａ面には「配布」の文字などを、２Ｃ面には、情報隠蔽用シートの返却時での「返却用紙」、「返却先の住所、会社名」等の文字が印刷されている。但し、第２の基材には、上記の再剥離性感圧粘着剤が塗工され、また第２の基材の両端には、マージナルパンチ２５を連続的に加工し、連続して巻き取った状態とした。
【００２９】
上記の得られた第１の基材の巻取りと、第２の基材の巻取りを給紙部に設置して、接着剤Ｂ（３１）を塗工できるユニット１と、接着剤Ａ（３０）を塗工できるユニット２を隣接して設けた糊付けコレーターにて、第１の基材の巻取りの上記の印刷面と反対側に、図１ａ）に示すようなパターンで、接着剤Ｂ（３１）を塗工し、続けて第１の基材の巻取りの接着剤Ｂ（３１）が塗工された面と同じ側に、図１ａ）に示すようなパターンで、接着剤Ａ（３０）を塗工し、接着剤Ａ（３０）及び接着剤Ｂ（３１）が塗工された面と、第２の基材の上記の印刷面と反対側とが接するように、重ね合わせる。その時に、第１の基材と第２の基材の各印刷された部分が両者の位置関係が合うように、マージナルパンチを利用したピン送り方式で、第１の基材と第２の基材の見当合わせを行なう。さらに、貼り合わせ時４０と４１に示す位置に、横ミシン目の加工を施して、折り出しした。
【００３０】
上記の連続フォームとして丁合された情報隠蔽用シートは、横ミシン目４０、４１の部分で、折られた折り状態とする。次に、上記の情報隠蔽用シートを、両面印字のノーインパクトプリンターにて、第２の基材２２における２Ａ面に、配布先の住所、名前の可変情報を、さらに、第１の基材２１の１Ｂ面に、個人情報２３の可変情報を、それぞれ一つの情報隠蔽用シートとした時に、両者の情報の照合性がとれた状態で、両面印字を行なった。
【００３１】
その後に、切り取り線８、９を利用して、両端に設けられたマージナルパンチ２５加工された部分を、切り離した後に、折り線２で、谷折りの条件で折り畳んで、第１の基材２１の第１Ａ基材部と第１Ｂ基材部の表面同士（１Ａ面と１Ｂ面）が重ね合わされて圧着されて接着するように、シーラーにて圧力を加える。但し、この加圧処理は長尺の情報隠蔽用シートを使用して、連続処理で行なう。圧着の工程中で、横ミシン目４０、４１を利用して、長尺の連続フォームから、多数の枚葉のシート状である、本発明の情報隠蔽用シートを形成した。
【００３２】
上記の得られた情報隠蔽用シートをスリット３（折り線５）で、山折りの条件で折って、３つ折り状態にして、対象者に配布したところ、配布途中で異常もなく、配布先に情報隠蔽用シートが届けられた。配布先の人は、１Ａ面と１Ｂ面とが接着した状態から、１Ａ面と１Ｂ面とを手で剥離して、１Ｂ面に記載された個人情報２３を確認して、その後にスリット３の部分から、第１の基材２１の第１Ｂ基材部を接着剤Ｂから剥離して、第２の基材２２の第２Ｂ基材部と分離し、かつスリット４の部分から、接着剤Ｂが付着された第２の基材２２の第２Ｂ基材部を、第１の基材２１の第１Ｂ基材部と分離して、第１の基材の第１Ｃ基材部と、第２の基材の第２Ｂ基材部及び第２Ｃ基材部からなる返却用紙を得た。この返却用紙２６の個人情報の記入欄３２に、シートを配布された人は自分の個人情報に関する必要事項を記入した。その後に、第１の基材の第１Ｃ基材部の表面に記入した個人情報３２を隠蔽するように、折り線５の部分で折って、第２の基材の第２Ｂ基材部と、第１の基材の第１Ｃ基材部とが接着剤Ｂを介して接着した状態にした。そして、その返却用紙を返却先に返却した。この返却用紙は、返却先に異常なく届けられ、返却先の関係者が第２Ｂ基材部と、第１Ｃ基材部とを接着剤Ｂから剥離して、個人情報の記入欄３２の内容を確認し、必要事項を記憶装置へ入力する等の処置を行った。以上の情報隠蔽用シートは、プリンターの印字適性、搬送適性等に優れ、また製造する上で、製造工程が増えることもなく、隠蔽性が高く、隠蔽ラベルを用いて、剥がして貼り込む際、ラベルの貼る位置が曲がったり、外れることがなく、折り線５の部分で折って貼り合わせるだけで、簡単に個人情報を隠蔽することができ、配布元（返却先）と配布先（返却者）において、取扱い上、問題がなく使用された。
【図面の簡単な説明】
【００３３】
【図１】本発明の情報隠蔽用シートの一つの実施形態を示す概略図である。
【図２】本発明の情報隠蔽用シートの他の実施形態を示す概略図である。
【符号の説明】
【００３４】
１      情報隠蔽用シート
２      折り線
３      スリット
４      スリット
５      折り線
８      切り取り線
９      切り取り線
２１      第１の基材
２２      第２の基材
２３      配布される人の個人情報
２４      再剥離性感圧粘着剤層
２５      マージナルパンチ
２６      返却用紙
３０      接着剤Ａ
３１      接着剤Ｂ
３２      返却用紙の個人情報の記入欄（第１Ｃ基材部の表面に記入した個人情報）
４０、４１      横ミシン目
【図１】
2008012872.tif 000003
【図２】
2008012872.tif 000004